(57)【要約】【課題】目的は、スマートフォンやタブレット等の携帯型情報端末のカメラに対してずれることなく容易に装着でき、ディスプレイに対する干渉がなく、浮かび上がる画像を簡単に切り替えることができ、低コストを実現できるカメラ用フィルタを提供することにある。【解決手段】本実施形態に係るカメラ用フィルタは、カメラを装備する携帯型情報端末６に着脱するためのクリップ２を構成する挟持板３に第１の開口部１６が開けられる。第１の開口部１６に第１の透過型ホログラムシート８が配置され、第１の透過型ホログラムシート８の表面にはそれを透かして点光源を見たときに第１の画像１２が出現するように干渉縞を形成される。挟持板５に第２の開口部１７が開けられる。第２の開口部１７に第２の透過型ホログラムシート９が配置され、第２の透過型ホログラムシート９の表面にはそれを透かして点光源を見たときに第２の画像が出現するように干渉縞を形成される。【選択図】図１
2019045675.tif 000002
【特許請求の範囲】
【請求項１】
カメラを装備する携帯型情報端末に着脱するためのクリップを構成する一対の挟持板の一方に第１の開口部が開けられ、前記第１の開口部に第１の透過型ホログラムシートが配置され、前記第１の透過型ホログラムシートの表面にはそれを透かして点光源を見たときに第１の画像が出現するように干渉縞を形成され、前記一対の挟持板の他方に第２の開口部が開けられ、前記第２の開口部に第２の透過型ホログラムシートが配置され、前記第２の透過型ホログラムシートの表面にはそれを透かして点光源を見たときに第２の画像が出現するように干渉縞を形成されることを特徴とするカメラ用フィルタ。
【請求項２】
前記クリップは板状の弾性体をＵ字形に折り曲げることにより構成され、前記弾性体が有する弾性力により前記一対の挟持板で前記携帯型情報端末を表裏から挟み込むことにより前記カメラに装着されることを特徴とする請求項１記載のカメラ用フィルタ。
【請求項３】
前記一対の挟持板の一方の表面には前記第１の画像の形態を表すマークが表記され、前記一対の挟持板の他方の表面には前記第２の画像の形態を表すマークが表記されることを特徴とする請求項１記載のカメラ用フィルタ。
【請求項４】
カメラを装備する携帯型情報端末に着脱するためのクリップを構成する一対の挟持板の一方に円盤状の透過型ホログラムシートが軸支され、前記透過型ホログラムシートは周方向に複数の領域に分割され、前記透過型ホログラムシートの表面にはそれを透かして点光源を見たときに前記領域ごとに異なる画像が出現するように前記領域ごとに異なる干渉縞を形成されることを特徴とするカメラ用フィルタ。
【請求項５】
前記透過型ホログラムシートの外周が前記携帯型情報端末の辺縁から張り出すことを特徴とする請求項４記載のカメラ用フィルタ。
【請求項６】
前記透過型ホログラムシートは周方向に均等に前記複数の領域に分割されていることを特徴とする請求項４記載のカメラ用フィルタ。
【請求項７】
前記透過型ホログラムシートは円環状のフレームに支持され、前記フレームの表面には前記複数の領域に位置合わせして前記領域ごとの画像の形態を表すマークが表記されることを特徴とする請求項４記載のカメラ用フィルタ。
【発明の詳細な説明】
【技術分野】
【０００１】
本発明は、カメラを装備するスマートフォンに代表される携帯型情報端末に着脱自在なカメラ用フィルタに関する。
【背景技術】
【０００２】
近年、ホログラムによって形成される画像（光像）を広告宣伝や装飾に利用することが行われている。例えば、透明型ホログラムシートを利用したホログラム構成物が提案されている（特許文献１参照）。特許文献１には、前記ホログラム構成物をカメラフィルターに組み込み、そのカメラフィルターを輪ゴムでカメラに固定することで、ホログラムシート上に浮かび上がる画像と人の顔を同時に撮影可能であること記載されている。
【先行技術文献】
【特許文献】
【０００３】
【特許文献１】特許４３７８４５２号公報
【発明の概要】
【発明が解決しようとする課題】
【０００４】
しかし、特許文献１に記載の技術は、カメラフィルターを輪ゴムでカメラに固定するという方法を採っているために、以下のような問題があった。
（１）カメラに対する固定力が不十分であり、カメラフィルターがカメラのレンズの位置に正確に固定できない。或いはカメラフィルターがレンズの位置からずれる。
（２）カメラに対して固定する操作が面倒である。
（３）スマートフォンやタブレット等の携帯型情報端末のカメラのように、レンズが小さく、かつ、携帯型情報端末の端部近傍にレンズが配置されたカメラには固定し難い。
（４）携帯型情報端末のカメラと反対側の表面上のディスプレイがカメラフィルターの装着具の干渉を受けてしまう。
（５）浮かび上がる画像を切り替えるにはカメラフィルターを交換する必要がある。
【０００５】
本発明の目的は、スマートフォンやタブレット等の携帯型情報端末のカメラに対してずれることなく容易に装着でき、ディスプレイに対する干渉がなく、浮かび上がる画像を簡単に切り替えることができ、低コストを実現できるカメラ用フィルタを提供することにある。
【課題を解決するための手段】
【０００６】
本実施形態に係るカメラ用フィルタは、カメラを装備する携帯型情報端末に着脱するためのクリップを構成する一対の挟持板の一方に第１の開口部が開けられる。第１の開口部に第１の透過型ホログラムシートが配置され、第１の透過型ホログラムシートの表面にはそれを透かして点光源を見たときに第１の画像が出現するように干渉縞を形成される。一対の挟持板の他方に第２の開口部が開けられる。第２の開口部に第２の透過型ホログラムシートが配置され、第２の透過型ホログラムシートの表面にはそれを透かして点光源を見たときに第２の画像が出現するように干渉縞を形成される。
【発明の効果】
【０００７】
本発明のカメラ用フィルタによれば、スマートフォンやタブレット等の携帯型情報端末のカメラに対してずれることなく容易に装着でき、ディスプレイに対する干渉がなく、浮かび上がる画像を簡単に切り替えることができ、低コストを実現できる。
【図面の簡単な説明】
【０００８】
【図１】本発明の一実施形態に係るカメラ用フィルタの平面図である。
【図２】図１のＡ−Ａ’断面図である。
【図３】図１のカメラ用フィルタの斜視図である。
【図４】図１のカメラ用フィルタの使用状態を示す模式図である。
【図５】図１のカメラ用フィルタの変形例を示す平面図である。
【図６】図５のＡ−Ａ’断面図である。
【図７】本発明の他の実施形態に係るカメラ用フィルタの平面図である。
【図８】図７のカメラ用フィルタの側面図である。
【図９】図７のカメラ用フィルタの背面図である。
【図１０】図７のカメラ用フィルタの使用状態を示す模式図である。
【発明を実施するための形態】
【０００９】
以下、本発明を実施するための形態について図面を参照しながら具体的に説明する。但し、本発明は以下に示す形態のみに限定されるものではない。なお、一の実施形態において他の実施形態で使用している部材と同一構造の部材を使用している場合には、図面において同一の符号を付与し、以下の記載においてその説明を省略する。
（第１の実施形態）  
図１乃至図４に示すように、第１の実施形態に係るカメラ用フィルタはクリップ２を有する。クリップ２は、板状の弾性体を折り曲げることにより断面Ｕ字形をなし、クリップ２の一対の挟持板３，５で表裏からスマートフォンやタブレット等の携帯型情報端末６を挟み込む。クリップ２を携帯型情報端末６にその辺縁から差し込み、それ自身が有する弾性力により一対の挟持板３，５で携帯型情報端末６を表裏から挟み込ませることにより容易に且つ十分な固定力でもってカメラ用フィルタを携帯型情報端末６に装着することができる。従って、カメラ用フィルタを携帯型情報端末６のカメラレンズ６１に正確に位置合わせすることができ、且つカメラ用フィルタがレンズ６１の位置からずれ難い。さらに、一対の挟持板３，５で挟み込むという固定方式を採っているために、カメラ用フィルタの位置調整が容易であり、レンズ６１が小さく、かつ辺縁近傍にカメラレンズ６１が配置された携帯型情報端末６にもカメラ用フィルタを装着し易い。
【００１０】
一対の挟持板３，５は表裏からカメラを挟み込んで固定するための固定部材である。携帯型情報端末６を挟み込んで装着するという機能を果たせる限り、クリップ２の材質はある程度の弾性を備えている以外特に限定されず、プラスチック、金属などを好適に用いることができる。
【００１１】
また、一対の挟持板３，５は透過型ホログラムシート８，９を支持するための支持体としての機能も果たす。一対の挟持板３，５はそれらの連結端部から遠方端側に開口部１６、１７が形成されている。第１の透過型ホログラムシート８は、挟持板３に形成された開口部１６に配置される。第２の透過型ホログラムシート９は、挟持板５に形成された開口部１７に配置される。
【００１２】
図１（ａ）にカメラ用フィルタの表面図を示すように、第１の透過型ホログラムシート８の表面にはそれを透かして観察面とは反対側に配置された点光源を透かして見たときに第１の画像（第１の光像）１２として例えばハートの絵柄が観察面側であって点光源近傍に出現するように干渉縞を形成されている。その挟持板３の表面には第１の画像１２の形態（ここではハートの絵柄の形態）を表すマーク２１が表記される。このマーク２１により第１の透過型ホログラムシート８を透かして点光源を見ることなく、第１の透過型ホログラムシート８に浮かび上がる画像を視認することができる。
【００１３】
図１（ｂ）にカメラ用フィルタの背面図を示すように、同様に第２の透過型ホログラムシート９の表面にはそれを透かして点光源を見たときに第２の画像１３として例えば星の絵柄が出現するように干渉縞を形成されている。その挟持板５の表面には第２の画像１３の形態を表すマーク２３が表記される。
【００１４】
断面Ｕ字形のクリップ２の一対の挟持板３，５に異なる画像が浮かび上がるように干渉縞が形成された２種類の透過型ホログラムシート８，９を装着させることで、携帯型情報端末６に対する装着面を交換することにより容易に２種類の画像を切り替える事ができる。
【００１５】
最も簡易には、挟持板３，５に開口部１６，１７に位置合わせして透過型ホログラムシート８，９を貼着する。また、透過型ホログラムシート８，９を挟持板３，５と、円形開口１４，１５を有する円環形の保護リング部材１０、１１で挟み込み、固定するようにしてもよい。保護リング部材１０、１１は透過型ホログラムシート８，９を固定するだけでなく保護する機能を備える。
【００１６】
図５、図６に示すように、一対の挟持板１０２，１０４をそれら根元付近で回動軸１１８により軸支し、図示しないバネにより一対の挟持板１０２，１０４の先端（図面左側の端部）同士を近づける方向に付勢力を加えるような構造であっても良い。この構造はバネにより一対の挟持板１０２，１０４を容易に開閉させる事ができ、カメラ用フィルタを携帯型情報端末６に容易に装着し、容易に取り外すことができる。
【００１７】
透過型ホログラムシート８，９はそれを透かして点光源を見たときにその表面に形成された干渉縞により特定の画像が浮かび上がる。干渉縞の形成方法は特に限定されない。例えば、特定の絵柄をＢＭＰ，ＪＰＥＧなどの形式で画像化し、この画像をフーリエ変換処理等により干渉縞パターン（フーリエ変換像）に変換し、複数の干渉縞パターンを配列してホログラムシート８，９にエッチング又は印刷により干渉縞を形成する。干渉縞は、電子線描画によって透明なプラスチックからなるホログラムシート基材の表面に、画像に対応する微細な凹凸により形成してもよいし、任意の透明インキによりホログラムシート基材に印刷するものあってもよい。
【００１８】
画像で表示する内容は特に限定されない。例えば、文字、図形、記号などを挙げることができる。また、撮影された写真において装飾性や娯楽性を演出するための模様や図柄などであってもよい。
（第２の実施形態）  
図７乃至図１０を参照しながら、第２の実施形態に係るカメラ用フィルタついて説明する。本実施形態に係るカメラ用フィルタは、表裏からカメラを挟み込む一対の挟持板２１２，２１４からなるクリップ２００と、挟持板２１２に凸設された回転軸２２０と、回転軸２２０に回転可能に取り付けられた円環形のフレーム２２２，２２４と、円環形のフレーム２２２，２２４に挟み込まれ支持される円盤状の透過型ホログラムシート２０８とからなる。
【００１９】
透過型ホログラムシート２０８の半径は挟持板２１２の幅よりも長い。本実施形態に係るカメラ用フィルタは、そのクリップ２００が携帯型情報端末６のカメラレンズ６１から側方にずれた位置に装着される。その位置で、カメラレンズ６１は透過型ホログラムシート２０８に覆われる。
【００２０】
透過型ホログラムシート２０８は周方向に複数の領域３０１−３０４に９０度ずつ均等に分割され、透過型ホログラムシート２０８の表面にはそれを透かして点光源を見たときに領域３０１−３０４ごとに異なる画像２０１−２０４が出現するように領域３０１−３０４ごとに異なる干渉縞を形成される。
【００２１】
透過型ホログラムシート２０８を支持する円環状のフレーム２２２の表面には複数の領域３０１−３０４に位置合わせしてその外側に領域３０１−３０４ごとの画像２０１−２０４の形態を表すマーク４０１−４０４が表記される。
【００２２】
円環状のフレーム２２２の直径はその外周縁が携帯型情報端末６の辺縁から少し張り出すようにクリップ２００の長さより十分長い。それにより携帯型情報端末６にカメラ用フィルタを装着すいた状態で、保持者はその指先でフレーム２２２を容易に回転させる事が可能となる。
【００２３】
透過型ホログラムシート２０８をフレーム２２２とともに回転させることにより所望の画像を選択的に出現させることができる。カメラレンズ６１を所望の画像に対応する領域３０１−３０４のいずれかで覆うことにより所望の画像が浮かび上がった写真を撮影することができる。また動画撮影している期間において、透過型ホログラムシート２０８を連続的に回転させることにより、浮かび上がる画像を走馬灯のように変化させて、今までにない動画撮影が実現され得る。
【００２４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００２５】
２…クリップ、３，５…挟持板、６…携帯型情報端末、８，９…透過型ホログラムシート、１２…第１の画像、１３…第２の画像、１６、１７…開口部、２１…第１のマーク、２３…第２のマーク、６１…カメラレンズ。
【図１】
2019045675.tif 000003
【図２】
2019045675.tif 000004
【図３】
2019045675.tif 000005
【図４】
2019045675.tif 000006
【図５】
2019045675.tif 000007
【図６】
2019045675.tif 000008
【図７】
2019045675.tif 000009
【図８】
2019045675.tif 000010
【図９】
2019045675.tif 000011
【図１０】
2019045675.tif 000012